(57)【要約】【課題】  その目的は、宝石が揺動する構造の身飾品において、宝石を固定する爪と、その周囲に位置する支持部や指輪本体との距離を短くした場合でも、爪と支持部とが接触することを回避でき、デザインの自由度が高く、かつ使用する地金の量を減らすことができる身飾品を提供する。【解決手段】  ユーザの指に装着されると、指の動きに応じて丸カン５１，５３が、丸カン７１，７３に対して揺動し、これにより宝石３０が取り付け部４０と一体となって揺動する。丸カン７１，７３を結ぶ線上に爪４０１，４０３が位置し、かつ、爪４０１，４０３が丸カン５１，５３に非常に近接して位置する。すなわち、揺動時に、爪４０１，４０３は、開口部１０ｂ１の内周に対して近づく方向の動作は行わない。【選択図】  図１
2013022233.tif 000002
【特許請求の範囲】
【請求項１】
本体と、
２か所から宝石を挟み込んで掴む一対の掴み部材を備えた宝石収容部と、
前記一対の掴み部材を結ぶ直線を回転の中心として前記宝石収容部が揺動するように前記一対の掴み部材と前記本体とを係合する一対の係合部と、
を有する身飾品。
【請求項２】
前記係合部は、鎖状に連結された少なくとも２つの支持中空部材を含み、
前記連結された支持中空部材の一端が前記本体に接合され、他端が前記掴み部材に接合される、
請求項１に記載の身飾品。
【請求項３】
前記支持中空部材同士が点で接触している、
請求項２に記載の身飾品。
【請求項４】
前記係合部は、
前記掴み部材に固定された支持軸と、
前記本体に形成され、前記支持軸が揺動可能に挿入される凹部と、
を含む、
請求項１に記載の身飾品。
【請求項５】
前記支持軸は、前記凹部の内部の下面と点または線で接触している、
請求項４に記載の身飾品。
【発明の詳細な説明】
【技術分野】
【０００１】
本発明は、宝石を支持する支持部材が揺動する身飾品に関するものである。
【背景技術】
【０００２】
例えば、ダイヤモンド等の宝石を固定した支持部材を揺動可能に支持する指輪等がある。このように宝石を揺動させることで、揺動させない場合に比べて宝石をより輝いて見せることができる。
【先行技術文献】
【特許文献】
【０００３】
【特許文献１】ＷＯ２００３／０７７６９９
【発明の概要】
【発明が解決しようとする課題】
【０００４】
ところで、上記のような宝石を支持した指輪等で、宝石を揺動させているときに、その宝石を固定する爪が、宝石の周囲に位置する宝石支持部等にぶつかってしまうという問題がある。
このような問題を回避するため、宝石とそれを支持する宝石支持部との距離を十分に長くすることも考えるが、デザインの自由度が落ちるという問題や地金が多くついてしまうがある。
【０００５】
本発明はかかる事情に鑑みてなされたものであり、その目的は、宝石が揺動する構造の身飾品において、宝石を固定する爪と、その周囲に位置する宝石支持部等との距離を短くした場合でも、爪と宝石支持部等とが接触することを回避でき、デザインの自由度が高く、かつ使用する地金の量を減らすことができる身飾品を提供することを目的とする。
【課題を解決するための手段】
【０００６】
上述した従来技術の問題点を解決し、上述した目的を達成するために、本発明の身飾品は、本体と、２か所から宝石を挟み込んで掴む一対の掴み部材を備えた宝石収容部と、前記一対の掴み部材を結ぶ直線を回転の中心として前記宝石収容部が揺動するように前記一対の掴み部材と前記本体とを係合する一対の係合部と、を有する。
【０００７】
好適には、本発明の身飾品の前記係合部は、鎖状に連結された少なくとも２つの支持中空部材を含み、前記連結された支持中空部材の一端が前記本体に接合され、他端が前記掴み部材に接合される。
好適には、本発明の身飾品の前記支持中空部材同士は点で接触している。
【０００８】
好適には、本発明の身飾品の前記係合部は、前記掴み部材に固定された支持軸と、前記本体に形成され、前記支持軸が揺動可能に挿入される凹部とを含む。
好適には、本発明の身飾品の前記支持軸は、前記凹部の内部の下面と点または線で接触している。
【発明の効果】
【０００９】
本発明によれば、宝石が揺動する構造の身飾品において、宝石を固定する爪と、その周囲に位置する宝石支持部等との距離を短くした場合でも、爪と宝石支持部等とが接触することを回避でき、デザインの自由度が高く、かつ使用する地金の量を減らすことができる身飾品を提供することができる。
【図面の簡単な説明】
【００１０】
【図１】図１は、本発明の実施形態の指輪の平面図である。
【図２】図２は図１に示す指輪の側面図である。
【図３】図３は、図１に示す指輪の宝石支持部に宝石が支持される機構を側面側から示す図である。
【図４】図４（Ａ）は宝石が装着される取り付け部を宝石支持部に連結する構造を説明するための平面図、図４（Ｂ）はその側面図である。
【図５】図５（Ａ）は本発明の第２実施形態において、宝石が装着される取り付け部を宝石支持部に連結する構造を説明するための平面図、図５（Ｂ）はその側面図である。
【図６】図６は、本発明の第３実施形態に係る指輪の取り付け部と指輪本体の宝石支持部との係合構造を説明するための図である。
【図７】図７は、本発明の第４実施形態に係る指輪の取り付け部と指輪本体の宝石支持部との係合構造を説明するための図である。
【発明を実施するための形態】
【００１１】
以下、本発明の身飾品の実施形態を説明する。
本実施形態において、爪４０１，４０３が本発明の掴み部材の一例であり、取り付け部４０が本発明の宝石収容部の一例である。また、丸カン５１，５３，７１，７３が本発明の係合部の一例である。
【００１２】
＜第１実施形態＞
図１は本発明の実施形態の指輪１の平面図、図２は図１に示す指輪１の側面図である。図３は、図１に示す指輪１の宝石支持部１０ｂに宝石３０が支持される機構を側面側から示す図である。
図１に示すように、指輪１は、指が挿入される指輪本体１０ａと、宝石３０が揺動可能に取り付けられる宝石支持部１０ｂとを有する。
【００１３】
図４（Ａ）は、図１に示す宝石３０が装着される取り付け部４０を宝石支持部１０ｂに連結する構造を説明するための平面図、図４（Ｂ）はその側面図である。
【００１４】
図１〜図４に示すように、取り付け部４０の一部が、爪４０１，４０３となって、取り付け部４０に収容された宝石３０を両側から固定している。爪４０１と４０３は、宝石３０を対向する２箇所から挟み込んで取り付け部４０に固定する。
【００１５】
取り付け部４０の爪４０１，４０３の根元付近には、丸カン５１，５３が接合されている。丸カン５１，５３は、レーザー等によるろう付けによって取り付け部４０に接合されてもよい。
丸カン５１，５３は、図４（Ｂ）に示すように、側面側から環状の開口部が見える姿勢で取り付け部４０に接合されている。
図１、図３および図４に示すように、指輪１では、爪４０１，４０３が丸カン５１，５３に非常に近接して位置する。
【００１６】
また、図１および図４に示すように、指輪１の宝石支持部１０ｂには、側面側から見て宝石支持部１０ｂに形成された開口部１０ｂ１の内周の相互に対向する位置に丸カン７１，７３が設けられている。
丸カン７１は丸カン５１と連結し、丸カン７３は丸カン５３と連結している。これらの丸カン同士は点で接触している。
指輪１が丸カン７１と丸カン７３とを結ぶ直線上に、丸カン５１，５３および爪４０１，４０３が位置している。
【００１７】
指輪１では、ユーザの指に装着されると、指の動きに応じて丸カン５１，５３が、丸カン７１，７３に対して揺動し、これにより宝石３０が取り付け部４０と一体となって揺動する。
【００１８】
指輪１では、丸カン７１，７３を結ぶ線上に爪４０１，４０３が位置し、かつ、爪４０１，４０３が丸カン５１，５３に非常に近接して位置する。
そのため、宝石３０が取り付け部４０に固定された状態で揺動すると、平面方向から見て、当該揺動が行われる回転軸上に爪４０１，４０３が位置する。すなわち、爪４０１，４０３は、開口部１０ｂ１の内周に対して遠近する方向には殆ど動かない。
そのため、爪４０１，４０３が開口部１０ｂ１の内周に接触することを回避できる。すなわち、爪４０１，４０３を開口部１０ｂ１の内周に対しての従来に比べて近づけることができ、デザインの自由度が高め、かつ使用する地金の量を減らすことができる。
【００１９】
＜第２実施形態＞
図５（Ａ）は本発明の第２実施形態において、図１に示す宝石３０が装着される取り付け部４０を宝石支持部１０ｂに連結する構造を説明するための平面図、図５（Ｂ）はその側面図である。
図５（Ａ），（Ｂ）に示すように、本実施形態では、丸カン５１，５３は、平面方向から見て環状の開口部が見える姿勢で取り付け部４０に取り付けられている。
本実施形態によっても、第１実施形態と同様の効果が得られる。
【００２０】
＜第３実施形態＞
図６は、本発明の第３実施形態に係る指輪の取り付け部４０と指輪１の宝石支持部１０ｂとの係合構造を説明するための図である。
図６に示すように、本実施形態では、取り付け部４０の図中左側には、丸カン５３の代わりに、回転棒１５３が固定されている。回転棒１５３は、取り付け部４０と一体的に形成されていてもよい。
【００２１】
また、宝石支持部１０ｂの内周部には、第１実施形態の丸カン７３の代わりに凹部１７３が形成されている。
本実施形態において、凹部１７３は、断面円形の凹部である。
なお、第１実施形態の丸カン５１および丸カン７１も、上述した丸カン５３および丸カン７３と同様に、回転軸１５１および凹部１７１に置き換えられる。
本実施形態の指輪では、回転軸１５１，１５３の延びる線上に爪４０１，４０３が位置し、かつ、爪４０１，４０３が回転軸１５１，１５３に非常に近接して位置する。
【００２２】
上記構成によれば、宝石３０の揺動を生じる回転軸１５１，１５３に沿った直線上に爪４０１，４０３が位置する。そのため、爪４０１，４０３は、開口部１０ｂ１の内周に対して遠近する方向には殆ど動かない。
そのため、爪４０１，４０３が開口部１０ｂ１の内周に接触することを回避できる。すなわち、爪４０１，４０３を開口部１０ｂ１の内周に対しての従来に比べて近づけることができ、デザインの自由度が高め、かつ使用する地金の量を減らすことができる。
【００２３】
＜第４実施形態＞
上述した実施形態では、図６に示すように、凹部１７１，１７３の内側の下面が水平である場合を例示した。
図７は、本発明の第４実施形態に係る指輪の取り付け部４０と指輪１の宝石支持部１０ｂとの係合構造を説明するための図である。
本実施形態では、図７に示すように、宝石支持部１０ｂの内周部には、丸カン５３の代わりに、少なくとも下面２７３ａが下方に向けて傾斜した凹部２７３が形成されている。
【００２４】
また、宝石支持部１０ｂの内周部の反対側には、丸カン５１の代わりに、少なくとも下面２７１ａが下方に向けて傾斜した凹部２７１が形成されている。
本実施形態では、回転棒１５１，１５３と、凹部２７１，２７３の下面２７１ａ，２７３ａとは点で接触する。これにより、回転棒１５１，１５３と、凹部２７１，２７３の下面２７１ａ，２７３ａとの間の摩擦力を小さくでき、支持部材１４を揺動しやすくできる。
【００２５】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００２６】
上述した実施形態では、一つの宝石３０を揺動させる機構を説明したが、２以上の宝石３０を独立して、あるいは、相互に干渉しながら揺動するような構成にしてもよい。
また、上述した実施形態では、宝石支持部１０ｂに形成された開口部１０ｂ１内に宝石３０を収容した場合を例示したが、その他の形態を採用してもよい。
【００２７】
上述した実施形態において、丸カン５１，５３の取り付け部４０に接合する位置を、宝石３を取り付け部４０に装着した状態での重心位置より上方にしてもよい。また、このようにするために、取り付け部４０の下部側に重りを固定するようにしてもよい。
【００２８】
また、上述した実施形態では、宝石３０としてダイヤモンドを例示したが、ダイヤモンド以外の宝石、またはイミテーション宝石等の装飾物でもよい。
さらに、上述した実施形態では、身飾品の一例として指輪を例示したが、指輪以外の身飾品についても本発明は適用可能である。
【００２９】
また、本発明の支持中空部材および係合部は、丸カン以外の形状でもよい。
【産業上の利用可能性】
【００３０】
本発明は、宝石を支持する支持部材が揺動する身飾品に適用可能である。
【符号の説明】
【００３１】
１…指輪
１０ａ…指輪本体
１０ｂ…宝石支持部
３０…宝石
５１，５３，７１，７３…丸カン
１５１，１５３…回転軸
１７１，１７３，２７１，２７３…凹部
４０…取り付け部
４０１，４０３…爪
【図１】
2013022233.tif 000003
【図２】
2013022233.tif 000004
【図３】
2013022233.tif 000005
【図４】
2013022233.tif 000006
【図５】
2013022233.tif 000007
【図６】
2013022233.tif 000008
【図７】
2013022233.tif 000009